(57)【要約】【課題】バックフォーカスの短いレンズをカメラボディに装着する際にレンズ鏡筒の後端部分がカメラの内部部品と干渉することを防いだカメラシステム他を提供する。【解決手段】カメラボディ２と、該カメラボディ２のフランジバックに相当する第１のバックフォーカスよりも短い第２のバックフォーカスを有するレンズ構体４とを、係合部２０，２１を介して着脱可能に構成したカメラシステム１であって、レンズ構体４は、像側へ伸長可能な鏡筒２７を有し、該鏡筒２７が像側へ伸長した状態で前記第２のバックフォーカスに設定されることを特徴とするカメラシステム。【選択図】図１
2008176045.tif 000002
【特許請求の範囲】
【請求項１】
カメラボディと、該カメラボディのフランジバックに相当する第１のバックフォーカスよりも短い第２のバックフォーカスを有するレンズ構体とを、係合部を介して着脱可能に構成したカメラシステムであって、
前記レンズ構体は、像側へ伸長可能な鏡筒を有し、該鏡筒が像側へ伸長した状態で前記第２のバックフォーカスに設定されることを特徴とするカメラシステム。
【請求項２】
前記カメラボディは、前記レンズ構体からの光路中に進退可能に設けられた光路切換手段を有することを特徴とする請求項１に記載のカメラシステム。
【請求項３】
前記カメラボディは、前記レンズ構体の装着を検知する検知手段と、
前記検知手段によって前記レンズ構体の装着を検知した際に、前記光路切換手段が光路外へ退避した状態で、前記鏡筒を像側へ伸長可能とする制御手段とを備えることを特徴とする請求項２に記載のカメラシステム。
【請求項４】
請求項１に記載のカメラシステムであって、
前記カメラボディは、前記レンズ構体を離脱する動作を検知する離脱検知手段と、
前記離脱検知手段によって前記レンズ構体の離脱動作を検知した際に、前記鏡筒を前記レンズ構体内へ沈胴する制御手段とを備えたことを特徴とするカメラシステム。
【請求項５】
請求項２に記載のカメラシステムであって、
前記カメラボディは、前記レンズ構体を離脱する動作を検知する離脱検知手段と、
前記離脱検知手段によって前記レンズ構体の離脱動作を検知した際に、前記鏡筒を前記レンズ構体内へ沈胴した後に、前記光路切換手段を光路内へ進入可能とする制御手段とを備えたことを特徴とするカメラシステム。
【請求項６】
光学系を有するとともに、カメラボディに対して着脱可能に構成されたレンズ構体であって、
前記カメラボディに係合する係合部と、
前記係合部に対して前記光学系の像側へ伸長可能な鏡筒を有することを特徴とするレンズ構体。
【請求項７】
バックフォーカスの異なる複数種類のレンズ構体を選択的に装着可能なカメラボディであって、
撮像手段と、
前記レンズ構体のバックフォーカスに関する情報を検出する検出手段と、
前記検出手段によって検出された情報に基づいて、前記撮像手段における画像の取得範囲を変更する制御手段とを備えたことを特徴とするカメラボディ。
【請求項８】
請求項７によるカメラボディであって、
前記レンズ構体からの光束の光路中に進退可能に設けられた光路切換手段を備え、
前記制御手段は、前記検出手段によって検出された情報に基づいて、前記光路切換手段の位置を制御することを特徴とするカメラボディ。
【請求項９】
光学系の像側へ伸長可能な鏡筒を有するレンズ構体を装着可能な係合部と、
前記レンズ構体の装着を検出する検出部と、
前記検出部によって前記鏡筒を有するレンズ構体が装着されたことを検出した場合に、前記鏡筒を伸長可能とする制御手段とを備えたことを特徴とするカメラボディ。
【発明の詳細な説明】
【技術分野】
【０００１】
本発明は、カメラシステム、レンズ構体、及びカメラボディに関する。
【背景技術】
【０００２】
従来、イメージサークルの異なるレンズを装着可能で、装着されたレンズのイメージサークルの大きさに応じて、撮像素子における画像の取得範囲を変更する構成のカメラが提案されている（例えば、特許文献１を参照。）。
【特許文献１】特開２００５−１７６１４７号公報
【発明の開示】
【発明が解決しようとする課題】
【０００３】
ここで、上述のような従来のカメラにおいて、イメージサークルの小さいレンズとしては、レンズのバックフォーカスを短くすることが設計上有利である。しかしながら、レンズのバックフォーカスを短くすれば、レンズをカメラボディに装着した際にレンズ鏡筒の後端部分がカメラの内部部品（例えば、一眼レフカメラのクイックリターンミラー等）と干渉してしまうという問題があった。
【０００４】
そこで本発明は上記問題点に鑑みてなされたものであり、バックフォーカスの短いレンズをカメラボディに装着する際にレンズ鏡筒の後端部分がカメラの内部部品と干渉することを防いだカメラシステム、レンズ構体、及びカメラボディを提供することを目的とする。
【課題を解決するための手段】
【０００５】
上記課題を解決するために本発明は、
カメラボディと、該カメラボディのフランジバックに相当する第１のバックフォーカスよりも短い第２のバックフォーカスを有するレンズ構体とを、係合部を介して着脱可能に構成したカメラシステムであって、
前記レンズ構体は、像側へ伸長可能な鏡筒を有し、該鏡筒が像側へ伸長した状態で前記第２のバックフォーカスに設定されることを特徴とするカメラシステムを提供する。
【０００６】
また本発明は、
光学系を有するとともに、カメラボディに対して着脱可能に構成されたレンズ構体であって、
前記カメラボディに係合する係合部と、
前記係合部に対して前記光学系の像側へ伸長可能な鏡筒を有することを特徴とするレンズ構体を提供する。
【０００７】
また本発明は、
バックフォーカスの異なる複数種類のレンズ構体を選択的に装着可能なカメラボディであって、
撮像手段と、
前記レンズ構体のバックフォーカスに関する情報を検出する検出手段と、
前記検出手段によって検出された情報に基づいて、前記撮像手段における画像の取得範囲を変更する制御手段とを備えたことを特徴とするカメラボディを提供する。
【発明の効果】
【０００８】
本発明によれば、バックフォーカスの短いレンズをカメラボディに装着する際にレンズ鏡筒の後端部分がカメラの内部部品と干渉することを防いだカメラシステム、レンズ構体、及びカメラボディを提供することができる。
【発明を実施するための最良の形態】
【０００９】
以下、本発明の実施形態に係るカメラシステムについて添付図面に基づいて詳細に説明する。
図１は、本発明の実施形態に係るカメラシステムの構成を示す概略構成図（伸長式交換レンズを使用）である。
図２は、本発明の実施形態に係るカメラシステムにおいて通常の交換レンズを使用している様子を示す概略構成図である。
図３は、本発明の実施形態に係るカメラシステムにおいてバックフォーカスの短い交換レンズ（小Ｂｆ交換レンズと称す）を使用している様子を示す概略構成図である。
【００１０】
各図に示すように本カメラシステム１は、交換レンズをカメラボディ２に装着してなり、このカメラボディ２には、交換レンズとして通常の交換レンズ３をはじめ、後述する伸長式交換レンズ４、及び後述する小Ｂｆ交換レンズ５を選択的に装着することが可能である。
はじめに、通常の交換レンズ３を装着した様子を示す図２を参照して本カメラシステム１の全体的な構成を説明する。なお、通常の交換レンズ３とは、一般的にはカメラボディ２のフランジバックよりも長いバックフォーカスを有する交換レンズを指す。
【００１１】
通常の交換レンズ３は、不図示の被写体からの光を集光する光学系６、この光学系６を光軸方向へ駆動するレンズ駆動装置７、及びこのレンズ駆動装置７を制御するレンズ制御回路８を備えている。また、このレンズ制御回路８は、交換レンズの種類、バックフォーカス、イメージサークル等の情報を有している。
【００１２】
カメラボディ２は、交換レンズ３によって集光された被写体からの光を上方へ反射するメインミラー９、該メインミラー９の反射光路上に配置された焦点板１０とペンタプリズム１１、及び該ペンタプリズム１１の射出面側に配置された接眼レンズ１２を有し、さらに該メインミラー９の背後には、サブミラー１３、シャッタ１４、及び撮像素子１５を有している。そしてこのカメラボディ２は、サブミラー１３の反射光路上に焦点検出素子１６、ペンタプリズム１１の射出面付近に測光光学系１７、カメラボディ２下部にカメラ制御回路１８、カメラボディ２背面に表示素子１９を有している。
なお、メインミラー９及びサブミラー１３は、公知の跳ね上げ機構（不図示）によって図１（ｂ）及び図３に示すように焦点板１０側へ跳ね上げて光路外へ退避させることができる。またカメラボディ２外部には、このメインミラー９及びサブミラー１３の光路外への退避を撮影者が任意に操作するためのミラーアップボタン（不図示）が設けられている。
【００１３】
斯かる構成のカメラボディ２に対する交換レンズ３の装着は、カメラボディ２及び交換レンズ３にそれぞれ設けられたバヨネット式のマウント２０，２１どうしを係合することで行われる。また、これらのマウント２０，２１の端部には、それぞれカメラ側通信接点２２，レンズ側通信接点２３が配設されており、交換レンズ３をカメラボディ２に装着した際にはこれらの接点が通じて、レンズ制御回路８とカメラ制御回路１８とは通信を行うことが可能となる。
【００１４】
以上の構成の本カメラシステム１において、不図示の被写体からの光は、交換レンズ３の光学系６によって集光され、カメラボディ２内のメインミラー９によって上方へ反射されて焦点板１０に結像される。そして焦点板１０に結像されたこの光は、ペンタプリズム１１中で反射された後、接眼レンズ１２を介して撮影者が観察可能となっている。これにより撮影者は、被写体像を正立正像として確認することができる。
【００１５】
なお、メインミラー９の中央部分はハーフミラー面となっており、この部分を透過した光はサブミラー１３によって反射され焦点検出素子１６へ導かれる。これによりカメラ制御回路１８は、焦点検出素子１６の出力に基づき光学系６のフォーカシング移動量を演算し、レンズ制御回路８を介してレンズ駆動装置７を制御することで、光学系６を駆動してフォーカシングを行うことができる。
また、ペンタプリズム１１の射出面付近に備えられた測光光学系１７は焦点板１０の拡散光を測定するものであり、これによりカメラ制御回路１８は、測光光学系１７からの出力に基づいて撮影時の露出時間を決定することができる。
【００１６】
また、撮影者によってカメラボディ２外部に設けられた不図示のレリーズボタンが操作されると、メインミラー９及びサブミラー１３が上方へ跳ね上げられて光路外へ退避し、さらにシャッタ１４が開放されて被写体からの光が撮像素子１５へ到達する。これにより、被写体からの光は当該撮像素子１５によって撮像されて、表示素子１９に表示されるとともに被写体画像として不図示のメモリに記録される。このようにして撮影者は、本カメラシステム１で通常の交換レンズ３を用いて被写体の撮影を行うことができる。
【００１７】
なお、図４（ａ）に示すように、カメラボディ２のフランジバックｆ.ｂ.よりも長いバックフォーカスＢｆ.１を有する通常の交換レンズ３は、直径φ１のイメージサークル２５を有する。このため撮像素子１５では、このイメージサークル２５に合わせた撮影画面の範囲、即ちイメージサークル２５内の所定の縦横比の長方形の範囲（全撮影画面２６）において画像が取得されることとなる。ここで、バックフォーカスとは、交換レンズの光学系６における最も像側のレンズ面から撮像素子１５までの距離をいい、フランジバックとは、カメラボディ２のマウント２０の基準面から撮像素子１５までの距離をいう。
【００１８】
次に、本カメラシステム１において、像側へ伸長可能なレンズ鏡筒を備えた交換レンズ（以下、「伸長式交換レンズ」という。）をカメラボディ２に装着する場合について図１を参照して説明する。
図１に示すように本伸長式交換レンズ４は、公知の繰り出し／沈胴機構によってマウント２１よりも像側へ伸長可能なレンズ鏡筒２７を備えている。これにより本伸長式交換レンズ４は、レンズ鏡筒２７を沈胴した沈胴状態から、レンズ鏡筒２７を繰り出してレンズ鏡筒２７の後端をマウント２１よりも像側に配置した使用状態へとその形態を変化させることができる。したがって本伸長式交換レンズ４は、沈胴状態においてカメラボディ２のミラー９等の構成に干渉することはなく、図４（ｂ）に示すように使用状態においてこの第１のバックフォーカスよりも短い第２のバックフォーカスＢｆ．２となるように構成される。
【００１９】
また、本伸長式交換レンズ４のマウント２１には、該伸長式交換レンズ４をカメラボディ２に装着した際に鏡筒固定ピン２８をマウント２１端部から突出させてカメラボディ２へ挿入することで、伸長式交換レンズ４とカメラボディ２との固定を行う鏡筒固定機構２９を備えている。
なお、本伸長式交換レンズ４におけるその他の構成は、上述した通常の交換レンズ３の構成と同様であるため同じ番号を付して説明を省略する。
【００２０】
斯かる構成の伸長式交換レンズ４のカメラボディ２への装着は、レンズ鏡筒２７がカメラボディ２内のメインミラー９に衝突することを防ぐため、図１（ａ）に示すように沈胴状態で取り付け、図１（ｂ）に示すようにメインミラー９及びサブミラー１３を光路外へ退避させた後でレンズ鏡筒２７を伸長して使用状態とするという手順で行われる。なお、この手順の詳細については後述する。
【００２１】
本カメラシステム１において以上の構成の伸長式交換レンズ４を用いた場合、不図示の被写体からの光は、伸長式交換レンズ４によって集光され、開放されたシャッタ１４を通過して撮像素子１５へ到達する。これにより、被写体からの光は当該撮像素子１５によって撮像されて、表示素子１９に表示されるとともに被写体画像として不図示のメモリに記録される。このようにして撮影者は、本カメラシステム１で伸長式交換レンズ４を用いて被写体の撮影を行うことができる。
なお、本カメラシステム１において伸長式交換レンズ４を用いる場合には、前述のようにメインミラー９を光路外へ退避させているため、上述の焦点板１０とペンタプリズム１１と接眼レンズ１２とからなる光学ファインダは使用することはできない。しかしながら、撮影に際して撮像素子１５で得られる画像を表示素子１９に表示しておくことで、光学ファインダの代替とすることができる。
【００２２】
また、図４（ｂ）に示すように、使用状態においてカメラボディ２のフランジバックｆ.ｂ.よりも短いバックフォーカスＢｆ.２を有する伸長式交換レンズ４は、上述した通常の交換レンズ３のイメージサークル２５よりも小さい直径φ２のイメージサークル３０を撮像素子１５上に形成する。このため撮像素子１５では、このイメージサークル３０に合わせて撮影画面における画像の取得範囲が変更され、イメージサークル３０内の所定の縦横比の長方形の範囲（撮影画面３１）において画像が取得されることとなる。これにより、本カメラシステム１ではケラレ等のない良好な画像を撮影することができる。なお、斯かる画像の取得範囲の変更は、後述するようにレンズ制御回路８から得られる交換レンズのバックフォーカス情報及びイメージサークル情報に基づいて、カメラボディ２のカメラ制御回路１８によって行われる。
【００２３】
次に、本カメラシステム１において、マウント２１よりも像側へ突出したレンズ鏡筒を備えた交換レンズ（以下、「小Ｂｆ交換レンズ」という。）をカメラボディ２に装着する場合について図３を参照して説明する。
図３に示すように本小Ｂｆ交換レンズ５は、マウント２１よりも像側へ突出したレンズ鏡筒３２を備えている。このため本小Ｂｆ交換レンズ５は、上述した伸長式交換レンズ４の使用状態と同様に、バックフォーカスがカメラボディ２のフランジバックｆ．ｂ．よりも短い。
【００２４】
斯かる構成の小Ｂｆ交換レンズ５のカメラボディ２への装着は、レンズ鏡筒３２がカメラボディ２内のメインミラー９に衝突することを防ぐため、予めメインミラー９及びサブミラー１３を光路外へ退避させ、その後カメラボディ２に対して本小Ｂｆ交換レンズ５を取り付けるという手順で行われる。なお、この手順の詳細についても後述する。
【００２５】
本カメラシステム１において以上の構成の小Ｂｆ交換レンズ５を用いた場合、不図示の被写体からの光は、小Ｂｆ交換レンズ５によって集光され、開放されたシャッタ１４を通過して撮像素子１５へ到達する。これにより、被写体からの光は当該撮像素子１５によって撮像されて、表示素子１９に表示されるとともに被写体画像として不図示のメモリに記録される。このようにして撮影者は、本カメラシステム１で小Ｂｆ交換レンズ５を用いて被写体の撮影を行うことができる。
なお、以上のように本カメラシステム１において小Ｂｆ交換レンズ５を用いる場合には、伸長式交換レンズ４の場合と同様、メインミラー９を光路外へ退避させているため、光学ファインダは使用することはできない。しかしながら、撮影に際して撮像素子１５で得られる画像を表示素子１９に表示しておくことで、光学ファインダの代替とすることができる。
【００２６】
また、本小Ｂｆ交換レンズ５は、前述のようにバックフォーカスがカメラボディ２のフランジバックｆ．ｂ．よりも短いため、上述の通常の交換レンズ３のイメージサークル２５よりも小さい直径のイメージサークルを撮像素子１５上に形成する。このため撮像素子１５では、上記伸長式交換レンズ４と同様、イメージサークルに合わせて画像の取得範囲が変更され、ケラレ等のない良好な画像が撮影されることとなる。
【００２７】
以上の構成の下、本カメラシステム１では、伸長式交換レンズ４又は通常の交換レンズ３をカメラボディ２に装着する際には、以下に述べる第１の交換レンズ装着ルーチンが実行され、また小Ｂｆ交換レンズ５又は通常の交換レンズ３をカメラボディ２に装着する際には、撮影者が不図示のミラーアップボタンを操作した上で、後述する第２の交換レンズ装着ルーチンが実行される。以下、これらの交換レンズ装着ルーチンを添付図面に基づいて説明する。
【００２８】
図５に示す第１の交換レンズ装着ルーチンは、撮影者によって伸長式交換レンズ４又は通常の交換レンズ３がカメラボディ２に装着されて該カメラボディ２の電源が入れられた際、或いは又は電源が入っている状態のカメラボディ２に伸長式交換レンズ４又は通常の交換レンズ３が装着された際に開始される。
ステップＳ１：カメラボディ２のカメラ制御回路１８は、装着された交換レンズのレンズ制御回路８からバックフォーカス情報を得て、このバックフォーカスがフランジバックｆ．ｂ．以下であるか否か（装着された交換レンズが伸長式交換レンズ４と通常の交換レンズ３のいずれであるか）を判定する。バックフォーカスがフランジバックｆ．ｂ．以下である場合（伸長式交換レンズ４の場合）はステップＳ２へ進み、以下でない場合（通常の交換レンズ３の場合）は本第１の交換レンズ装着ルーチンが終了する。
【００２９】
ステップＳ２：カメラ制御回路１８は、レンズ制御回路８を介して鏡筒固定機構２９を制御し鏡筒固定ピン２８をマウント２１から突出させてカメラボディ２へ挿入することで、伸長式交換レンズ４をカメラボディ２に対して固定する。
ステップＳ３：カメラ制御回路１８は、メインミラー９及びサブミラー１３を跳ね上げて光路外へ退避させる。
ステップＳ４：カメラ制御回路１８は、レンズ制御回路８へレンズ鏡筒２７の伸長許可信号を出力する。これによりレンズ制御回路８は、レンズ鏡筒２７を像側へ伸長し、伸長式交換レンズ４が使用状態になる。
【００３０】
ステップＳ５：カメラ制御回路１８は、シャッタ１４を開放する。
ステップＳ６：カメラ制御回路１８は、レンズ制御回路８からイメージサークル情報等を得る。
ステップＳ７：カメラ制御回路１８は、ステップＳ６で得られたイメージサークル情報に基づき、撮像素子１５の撮像画面における画像の取得範囲を決定する。
ステップＳ８：撮影者によって本カメラシステム１を用いて被写体の撮影が行われると、カメラ制御回路１８は、撮影された画像を表示素子１９に表示する。そしてこれにより、本第１の交換レンズ装着ルーチンが終了する。
【００３１】
本カメラシステム１は、以上の第１の交換レンズ装着ルーチンを実行することで、レンズ鏡筒２７の後端部分をメインミラー９等のカメラボディ２内の内部部品と干渉させることなく伸長式交換レンズ４をカメラボディ２に装着することができる。
【００３２】
図６に示す第２の交換レンズ装着ルーチンは、上述のように撮影者が不図示のミラーアップボタンを操作した上で、カメラボディ２に小Ｂｆ交換レンズ５又は通常の交換レンズ３が装着された際に開始される。
ステップＰ１：カメラボディ２のカメラ制御回路１８は、装着された交換レンズのレンズ制御回路１８からバックフォーカス情報を得て、このバックフォーカスがフランジバックｆ．ｂ．以下であるか否か（装着された交換レンズが小Ｂｆ交換レンズ５と通常の交換レンズ３のいずれであるか）を判定する。バックフォーカスがフランジバック以下である場合（小Ｂｆ交換レンズ５の場合）はステップＰ２へ進み、以下でない場合（通常の交換レンズ３の場合）はステップＰ６へ進む。
【００３３】
ステップＰ２：カメラ制御回路１８は、シャッタ１４を開放する。
ステップＰ３：カメラ制御回路１８は、レンズ制御回路８からイメージサークル情報等を得る。
ステップＰ４：カメラ制御回路１８は、ステップＰ３で得られたイメージサークル情報に基づき、撮像素子１５の撮像画面における画像の取得範囲を決定する。
ステップＰ５：撮影者によって本カメラシステム１を用いて被写体の撮影が行われると、カメラ制御回路１８は、撮影された画像を表示素子１９に表示する。そしてこれにより、本第２の交換レンズ装着ルーチンが終了する。
【００３４】
ステップＰ６：カメラ制御回路１８は、光路外へ退避させていたメインミラー９及びサブミラー１３を光路内へ戻すことにより、本第２の交換レンズ装着ルーチンが終了する。
本カメラシステム１は、以上の第２の交換レンズ装着ルーチンを実行することで、レンズ鏡筒３２の後端部分をメインミラー等のカメラボディ２内の内部部品と干渉させることなく小Ｂｆ交換レンズ５をカメラボディ２に装着することができる。
【００３５】
そして本カメラシステム１では、カメラボディ２に装着された交換レンズを取り外す際には、以下に述べる第１、第２、及び第３の交換レンズ取り外しルーチンが実行される。なお、これらの交換レンズ取り外しルーチンはカメラボディ２に装着されている交換レンズに対応して実行されるものであり、詳しくは伸長式交換レンズ４が装着されている場合には第１の交換レンズ取り外しルーチンが実行され、小Ｂｆ交換レンズ５が装着されている場合には第２の交換レンズ取り外しルーチンが実行され、通常の交換レンズ３が装着されている場合には第３の交換レンズ取り外しルーチンが実行される。以下、これらの交換レンズ取り外しルーチンを添付図面に基づいて説明する。
【００３６】
図７に示す第１の交換レンズ取り外しルーチンは、カメラボディ２に伸長式交換レンズ４が装着されている場合に、撮影者によってカメラボディ２に設けられた不図示のレンズ着脱ボタンが操作されることで開始される。
ステップＴ１：カメラ制御回路１８は、シャッタ１４を閉鎖する。
ステップＴ２：カメラ制御回路１８は、レンズ制御回路８へレンズ鏡筒２７の収納命令信号を出力する。これによりレンズ制御回路８は、レンズ鏡筒２７を沈胴して収納し、伸長式交換レンズ４は沈胴状態になる。
【００３７】
ステップＴ３：カメラ制御回路１８は、光路外へ退避させていたメインミラー９及びサブミラー１３を光路内へ戻す。
ステップＴ４：カメラ制御回路１８は、レンズ制御回路８を介して鏡筒固定機構２９を制御し鏡筒固定ピン２８をカメラボディ２から退避させることで、伸長式交換レンズ４とカメラボディ２の固定を解除する。これにより撮影者は、伸長式交換レンズ４をカメラボディ２から取り外すことが可能となり、本第１の交換レンズ取り外しルーチンが終了する。
【００３８】
本カメラシステム１は、以上の第１の交換レンズ取り外しルーチンを実行することで、レンズ鏡筒２７の後端部分をメインミラー９等のカメラボディ２内の内部部品と干渉させることなく伸長式交換レンズ４をカメラボディ２から取り外すことができる。
【００３９】
図８に示す第２の交換レンズ取り外しルーチンは、カメラボディ２に小Ｂｆ交換レンズ５が装着されている場合に、撮影者によって不図示のレンズ着脱ボタンが操作されることで開始される。
ステップＱ１：カメラ制御回路１８は、シャッタ１４を閉鎖する。これにより撮影者は、小Ｂｆ交換レンズ５をカメラボディ２から取り外すことが可能となる。
ステップＱ２：撮影者によってカメラボディ２から小Ｂｆ交換レンズ５が取り外された後で、カメラ制御回路１８は、光路外へ退避させていたメインミラー９及びサブミラー１３を光路内へ戻す。これにより、本第２の交換レンズ取り外しルーチンが終了する。
【００４０】
本カメラシステム１は、以上の第２の交換レンズ取り外しルーチンを実行することで、レンズ鏡筒３２の後端部分をメインミラー９等のカメラボディ２内の内部部品と干渉させることなく小Ｂｆ交換レンズ５をカメラボディ２から取り外すことができる。
【００４１】
なお、本カメラシステム１において、カメラボディ２に対する各交換レンズの装着及び取り外しは、カメラボディ２におけるカメラ制御回路１８が、カメラ側通信接点２２と各交換レンズのレンズ側通信接点２３との通電を検出することで行われている。しかしながらこの検出は、別途装着検出手段と取り外し検出手段をカメラボディ２内に配置して行う構成としてもよい。
【００４２】
以上、本カメラシステム１は、上述した各交換レンズ装着ルーチン及び各交換レンズ取り外しルーチンを実行することで、カメラボディ２のフランジバックｆ．ｂ．よりも大きなバックフォーカスを有する伸長式交換レンズ４や小Ｂｆ交換レンズ５を、レンズ鏡筒の後端部分をカメラの内部部品と干渉させることなく選択的にカメラボディ２に装着して使用することができる。
【００４３】
したがって、本カメラシステム１では、イメージサークルと同時にバックフォーカスも異なる交換レンズを使用可能であるため、レンズ設計の自由度が向上し様々な特性の交換レンズを使用することが可能となる。例えば、全画面撮影時と同一画角の交換レンズを、より短い焦点距離で実現しようとする場合には、バックフォーカスを維持しながら焦点距離の小さな交換レンズを設計することは非常に困難であるため、バックフォーカスを焦点距離に比例して縮小できることは大きなメリットとなる。また、同一画角で焦点距離の異なる交換レンズを使用すれば、同じ画角とＦ値でありながら被写界深度が異なる撮影が可能となり、撮影自由度が大きく向上する。例えば、伸長式交換レンズ４や小Ｂｆ交換レンズ５を用いれば、大きな被写界深度を確保することができ、ピントずれのない動画撮影を行うことができる。
【００４４】
また、本カメラシステム１は、各交換レンズ装着ルーチン及び各交換レンズ取り外しルーチンによって、交換レンズの装着後にシャッタ１４を開放し、交換レンズを取り外す際には予めシャッタ１４を閉鎖する構成であるため、埃やゴミが侵入して撮像素子１５へ付着してしまうことを防ぐことができる。
【図面の簡単な説明】
【００４５】
【図１】本発明の実施形態に係るカメラシステムの構成を示す概略構成図（伸長式交換レンズを使用）である。
【図２】本発明の実施形態に係るカメラシステムにおいて通常の交換レンズを使用している様子を示す概略構成図である。
【図３】本発明の実施形態に係るカメラシステムにおいて小Ｂｆ交換レンズを使用している様子を示す概略構成図である。
【図４】本発明の実施形態に係るカメラシステムにおける第１の交換レンズ装着ルーチンを示すフローチャートである。
【図５】本発明の実施形態に係るカメラシステムにおける第２の交換レンズ装着ルーチンを示すフローチャートである。
【図６】本発明の実施形態に係るカメラシステムにおける第３の交換レンズ装着ルーチンを示すフローチャートである。
【図７】本発明の実施形態に係るカメラシステムにおける第１の交換レンズ取り外しルーチンを示すフローチャートである。
【図８】本発明の実施形態に係るカメラシステムにおける第２の交換レンズ取り外しルーチンを示すフローチャートである。
【符号の説明】
【００４６】
１      カメラシステム
２      カメラボディ
３      通常の交換レンズ
４      伸長式交換レンズ
５      小Ｂｆ交換レンズ
６      光学系
８      レンズ制御回路
１８    カメラ制御回路
２７，３２    レンズ鏡筒
【図１】
2008176045.tif 000003
【図２】
2008176045.tif 000004
【図３】
2008176045.tif 000005
【図４】
2008176045.tif 000006
【図５】
2008176045.tif 000007
【図６】
2008176045.tif 000008
【図７】
2008176045.tif 000009
【図８】
2008176045.tif 000010